(57)【要約】【課題】通常的に表示されている項目以外の項目が動作切り替え時や電源オフ時に表示することができる表示制御装置を提供する。【解決手段】第１の動作モードと電源オフモードとで動作する装置において、前記第１のモード時において、複数種類の情報のうち、前記第１の動作モードに対応づけて表示設定された情報を表示装置に表示する表示制御手段を備え、前記表示制御手段は、前記装置の前記第１の動作モードから前記電源オフモードへの切り替えに応じて、前記第１の動作モードにおいて表示設定されていない情報の一部を選択し、前記選択した情報を前記表示装置に表示した後に、前記電源オフモードに移行する。【選択図】図５
2011050092.tif 000002
【特許請求の範囲】
【請求項１】
第１の動作モードと電源オフモードとで動作する装置において、前記第１のモード時において、複数種類の情報のうち、前記第１の動作モードに対応づけて表示設定された情報を表示装置に表示する表示制御手段を備え、前記表示制御手段は、前記装置の前記第１の動作モードから前記電源オフモードへの切り替えに応じて、前記第１の動作モードにおいて表示設定されていない情報の一部を選択し、前記選択した情報を前記表示装置に表示した後に、前記電源オフモードに移行することを特徴とする表示制御装置。
【請求項２】
前記表示される情報に夫々重要度を設定する設定手段を備え、前記表示制御手段は、前記複数種類の情報のうち前記第１のモードに対応づけて表示設定されていない情報の中から前記設定手段によって前記重要度が高く設定された情報を選択することを特徴とする請求項１記載の表示制御装置。
【請求項３】
前記表示制御手段は、前記情報がマーク及び記号の場合には、前記情報を文字に置き換えるか又は拡大して前記表示装置に表示することを特徴とする請求項１または２記載の表示制御装置。
【請求項４】
デジタルカメラ、デジタルビデオカメラ、又は携帯電話に設けられることを特徴とする請求項１乃至３のいずれか１項に記載の表示制御装置。
【請求項５】
前記表示装置に表示する画像を撮像する撮像手段をさらに有することを特徴とする請求項１乃至４のいずれか１項に記載の表示制御装置。
【請求項６】
前記複数種類の情報は、前記撮像手段の撮像情報に関する情報であることを特徴とする請求項５記載の表示制御装置。
【請求項７】
前記複数種類の情報は、前記記録媒体に記録されている画像データの再生機能に関する情報であることを特徴とする請求項１乃至５のいずれか１項に記載の表示制御装置。
【請求項８】
表示装置に複数種類の情報を表示する表示制御手段と、
特定の動作モードにおいて、前記複数種類の情報のうちいずれの種類の情報を前記表示装置に表示するか否かを示す設定情報を保持する保持手段とを有する表示制御装置であって、
前記表示制御手段は、前記特定の動作モードにおいて、電源オフの指示が入力されたことに応じて、前記保持手段により保持された前記設定情報に基づいて、前記複数種類の情報のうち前記特定の動作モードにおいて表示しないと設定された情報の一部を前記表示装置に表示した後に前記表示制御装置の電源をオフにすることを特徴とする表示制御装置。
【請求項９】
前記表示される情報に夫々重要度を設定する設定手段を備え、前記表示制御手段は、前記複数種類の情報のうち前記特定のモードに対応づけて表示しないと設定されている情報の中から前記設定手段によって前記重要度が高く設定された情報を選択することを特徴とする請求項８記載の表示制御装置。
【請求項１０】
前記表示制御手段は、前記複数種類の情報がマーク及び記号の場合には、前記複数種類の情報を文字に置き換えるか又は拡大して前記表示装置に表示することを特徴とする請求項８または９記載の表示制御装置。
【請求項１１】
前記表示装置に表示する画像を撮像する撮像手段をさらに有することを特徴とする請求項８乃至１０のいずれか１項に記載の表示制御装置。
【請求項１２】
前記複数種類の情報は、前記撮像手段の撮像情報に関する情報であることを特徴とする請求項１１記載の表示制御装置。
【請求項１３】
前記複数種類の情報は、前記記録媒体に記録されている画像データの再生機能に関する情報であることを特徴とする請求項８乃至１２のいずれか１項に記載の表示制御装置。
【発明の詳細な説明】
【技術分野】
【０００１】
本発明は、表示制御装置に関し、特に、デジタルカメラ、デジタルビデオカメラ、及び携帯電話などに設けられる表示制御装置に関する。
【背景技術】
【０００２】
従来より、被写体を撮影する撮像装置と、撮影した被写体の映像を記録する記録装置とを備える表示装置付きの映像信号記録装置が普及している。この映像信号記録装置は、被写体を撮影して得られた映像信号を記録媒体に記録する記録モードと、映像信号が記録された記録媒体から映像信号を再生する再生モードとを有している。また、この映像信号記録装置は、記録モード表示モード、オンスクリーン表示モード、記録されない表示モードなどを表示装置に夫々のモード時の文字やアイコン（図柄）により表示する機能を持っており、前述した各モード時にさまざまな文字やアイコンにより、撮影者に対してその時の動作状況などを知らせるようになっている。
【０００３】
例えば、記録モードでは、ポートレート設定などの撮影モードや、撮影画像サイズ、画像の圧縮率、ホワイトバランスなど各種のカメラ設定、電池残量、メディア残量、日時などが文字やアイコンにより表示される。また、再生モードでは、主にメディア残量、電池残量、日時などが文字やアイコンにより表示され、撮影者に対してその時の動作状況などを知らせるようになっている。
【０００４】
これらの表示装置には、電源オン時に少しの時間表示するものや、電源オフするときに少しの時間表示するもの（例えば、特許文献１参照）など多様な技術が提案されている。
【０００５】
さらに、上述の各種の設定情報表示のオン／オフを切り替えられるようになって、記録モード時、再生モード時にそれぞれの設定が保持されており、記録モード、再生モードでの表示内容が異なる場合もある。例えば、記録モードで日時情報や記録媒体残量表示をオフにすると、再生モードに切り替えても、日時やメディア残量表示がでない。これらは、例えばユーザーが撮影時に表示装置に表示されている各種のマークや文字をわずらわしく思って表示設定を変更する場合である。
【先行技術文献】
【特許文献】
【０００６】
【特許文献１】特開平５−１７６２４８号公報
【発明の概要】
【発明が解決しようとする課題】
【０００７】
しかしながら、上記従来の映像信号記録装置では、繰り返されるモード切り替えや時間経過と共に表示されていた内容を忘れた時、再び表示するには表示設定の再設定が必要がある。
【０００８】
また、記録モードでの表示設定と再生モードでの表示設定が２つあり、どちらの表示設定であるのか分からない場合もある。
【０００９】
さらに、モード切り替え時に数秒間表示される表示は、電源オン時などでは、切り替え先のモードで表示される内容は表示する必要がないが、電源オフ時などでは、一旦非表示設定されていると、メディア残量や電池残量といった電源オフ時に補給又は交換すべき目安となる項目を知ることはできない。
【００１０】
本発明の目的は、通常的に表示されている項目以外の項目を動作切り替え時や電源オフ時に表示することができる表示制御装置を提供することにある。
【課題を解決するための手段】
【００１１】
請求項１記載の表示制御装置は、第１の動作モードと電源オフモードとで動作する装置において、前記第１のモード時において、複数種類の情報のうち、前記第１の動作モードに対応づけて表示設定された情報を表示装置に表示する表示制御手段を備え、前記表示制御手段は、前記装置の前記第１の動作モードから前記電源オフモードへの切り替えに応じて、前記第１の動作モードにおいて表示設定されていない情報の一部を選択し、前記選択した情報を前記表示装置に表示した後に、前記電源オフモードに移行することを特徴とする。
【００１２】
請求項８記載の表示制御装置は、表示装置に複数種類の情報を表示する表示制御手段と、特定の動作モードにおいて、前記複数種類の情報のうちいずれの種類の情報を前記表示装置に表示するか否かを示す設定情報を保持する保持手段とを有する表示制御装置であって、前記表示制御手段は、前記特定の動作モードにおいて、電源オフの指示が入力されたことに応じて、前記保持手段により保持された前記設定情報に基づいて、前記複数種類の情報のうち前記特定の動作モードにおいて表示しないと設定された情報の一部を前記表示装置に表示した後に前記表示制御装置の電源をオフにすることを特徴とする。
【発明の効果】
【００１３】
本発明によれば、装置の所定のモードから電源オフへの切り替え移行中又は移行直後に、所定のモードでは表示設定されてない情報のうち所定の情報を選択して表示するので、ユーザーの利便性を向上させることができる。
【００１４】
好ましくは、表示される情報に夫々重要度を設定し、上記所定の情報は重要度が高く設定された情報、例えば、モード切り替え移行時には日時やホワイトバランスであり、電源オフ時には電池残量や記録媒体残量である。これにより、切り替え移行中又は移行直後に、ユーザーの利便性をさらに向上させることができる。
【図面の簡単な説明】
【００１５】
【図１】本発明の実施の形態に係る表示制御装置を備える表示装置付きカメラの内部構成を概略的に示す図である。
【図２】図１の表示装置付きカメラにおける各動作モード毎の設定情報の一例を示す。
【図３】図１の動画記録再生可能な表示装置付きカメラにおける動作モード切り替え時の表示制御動作を説明する図である。
【図４】（ａ）〜（ｄ）は、図１の表示装置付きカメラによるモード切り替え時の表示例を示す図である。
【図５】図１の動画記録再生可能な表示装置付きカメラにおける電源オフ時の表示動作を説明する図である。
【図６】（ａ）〜（ｄ）は、図１の表示装置付きカメラによる電源オフ時の表示例を示す図である。
【発明を実施するための形態】
【００１６】
以下、本発明の実施の形態を図面を参照しながら詳述する。
【００１７】
図１は、本発明の実施の形態に係る表示制御装置を備える表示装置付きカメラの内部構成を概略的に示す図である。この表示制御装置は、例えばデジタルカメラ、デジタルビデオカメラ、又は携帯電話に設けられる。
【００１８】
図１において、動画記録再生可能な表示装置付き一体型カメラは、レンズ１０１と、撮像素子１０２と、カメラ信号処理部１０３と、画像メモリ１０４と、操作スイッチ１０５と、ディスプレイ１０６と、静止画符号化／復号化部１０７とを備える。一体型カメラは、また、動画符号化／復号化部１０８と、記録媒体１０９用のＩ／Ｆ１１０と、ＣＰＵ１１１と、プログラムメモリ１１２と、プログラムフラッシュメモリ１１３と、画像処理部１１４とを備える。レンズ１０１と撮像素子１０２を除く構成要素は、バス１１５を介して互いに接続されている。
【００１９】
上記一体型カメラの動作モードは、操作スイッチ１０５内のメインモード切り替えスイッチで、電源オフモード、記録モード、再生モードの３つの主モードに切り替えられる。
【００２０】
カメラの起動時には、プログラムフラッシュメモリ１１３内に圧縮されたプログラムは、プログラムメモリ１１２に解凍／展開され、ＣＰＵ１１１は、プログラムメモリ１１２内のプログラムにしたがって動作し、以下の各種の制御動作を行う。
【００２１】
操作スイッチ１０５を記録モードに設定して起動すると、被写体からの光は、レンズ群１０１を通して撮像素子１０２に結像される。撮像素子１０２に結像された被写体象は光電変換されて電気信号となる。撮像素子１０２からの光電変換画像は、所定の周期で読み出され、カメラ信号処理部１０３にて、標準的な動画像信号になるように信号処理され、画像メモリ１０４に一時的に蓄積される。同時に、この動画像はディスプレイ１０６へと送られ、撮像中の動画像が表示される（撮影待機状態）。
【００２２】
撮影待機状態で操作スイッチ１０５中の撮影ボタン（不図示）が押下されると、撮影が開始される。撮影が開始されると、画像メモリ１０４に一時的に蓄積された原動画像は、動画符号化／復号化部１０８にて動画像への圧縮符号化がなされた後に、インターフェース１１０を通して記録媒体１０９に順次記録されていく。操作スイッチ１０５に含まれる撮影ボタンが再度押されると記録終了となり、１カットの動画クリップの記録が終了する。
【００２３】
一方、上述の撮影待機状態で、操作スイッチ１０５中の静止画撮影ボタン（不図示）が押下されると、画像メモリ１０４から読み出した画像は、静止画符号化／復号化部１０７にて、静止画像としての圧縮符号化がなされた後に記録媒体１０９に記録される。
【００２４】
また、操作スイッチ１０５を再生モードへと切り替えると、ＣＰＵ１１１は記録媒体１０９中の動画又は静止画を確認して、ディスプレイ１０６へと静止画又は動画のサムネイルアイコンを並べて表示する。ユーザー操作によってサムネイルが選択されるとその選択された静止画又は動画が順次読み出されてディスプレイ１０６に表示される。
【００２５】
本実施の形態では、記録モード及び再生モードにおいて、ディスプレイ１０６に表示される情報をユーザが任意に設定することが可能である。
【００２６】
すなわち、操作スイッチ１０５を用いて、日時表示、電池残量、記録媒体残量などを表示させるように設定すれば、各モードで動画や静止画、撮像画像の上に重ねて表示することができる。
【００２７】
各モードでの共通に表示する情報以外にも、各モード固有の設定や動作モードなどの情報（複数種類の情報）を表示することが可能となっている。
【００２８】
例えば、記録モードであれば、カメラ設定としてのホワイトバランスや露出設定、フォーカス設定などの情報や、記録画像の圧縮率の情報などを表示することができる。また、再生モードであれば、時間表示や、ファイルのデータ（画像データ）サイズ、備えている再生機能（スライドショーや早送り、スロー再生など）の情報などを表示することができる。
【００２９】
これらの各項目が表示設定によって各モードで撮影画や再生画と共にディスプレイ１０６上へ表示されている。また、これらの各動作モードで表示設定を行った設定情報は、各動作モード毎にプログラムフラッシュメモリ１１３上に保持されている。動作モード毎の設定情報の一例を図２に示す。
【００３０】
図２の例において、表示項目中の「再生機能」は、再生対象の連続再生やランダム再生などを含む。また、図２の例には、表示項目として、記録媒体中の記録フォルダを含み、この項目において、モード１（記録）ＯＦＦ、モード２（再生）ＯＦＦ、切り替え時ＯＮである。
【００３１】
図３は、図１の動画記録再生可能な表示装置付きカメラにおける動作モード切り替え時の表示制御動作を説明する図である。
【００３２】
図３において、ＣＰＵ１１１（図１参照）は、複数の機能ブロックを有する。これらの機能ブロックは、モード１（例えば記録モード）の表示設定２０２と、モード２（例えば再生モード）の表示設定２０３と、スイッチ２０４と、モード切り替え２０５と、表示内容２０６とから成る。
【００３３】
操作手段２０１は、操作スイッチ１０５と同等であり、モード１（例えば記録モード）の表示設定２０２及びモード２（例えば再生モード）の表示設定２０３を行う。スイッチ２０４は、操作スイッチ１０５によるモード切り替え指示２０５によって切り替えられる。
【００３４】
表示ディスプレイ２０７にはスイッチ２０４によって表示内容２０６が切り替えられて表示される。なお、スイッチ２０４は出力はＸの一点であり、ここに接続された内容によって表示内容２０６中からディスプレイ２０７の表示内容が選択される。また、スイッチ２０４の入力はＡ〜Ｄの４点となっており、Ａ〜Ｄには、夫々、モード１の表示ＯＮ設定、モード１の表示ＯＦＦ設定、モード２の表示ＯＦＦ設定、モード２の表示ＯＮ設定が選択可能である。
【００３５】
即ち、モード１によって通常動作を行っている場合には、端子ＡとＸが接続されており、モード１の通常の表示ＯＮ設定項目が表示される（図４（ａ））。
【００３６】
図４（ａ）では、図２の情報に従って、ディスプレイ１０６上には、バッテリ残量、メディア残量、録画時間、撮影モード、露出、フォーカスの項目がアイコンや文字によって撮像画像と共に並べて表示されている。一部のアイコン表示の意味は図２に示す通りである。
【００３７】
同様に、モード２によって通常動作を行っている場合には、端子ＤとＸが接続されており、モード２の表示ＯＮ設定項目が表示される（図４（ｂ））。
【００３８】
モード切り替え移行時には、モード切り替え２０５からモード切り替え信号が発生して、モード遷移状態として数秒間の表示制御操作を行う。すなわち、モード１からモード２への移行時には、端子Ｃと端子Ｘが接続されて、モード２の表示ＯＦＦ設定項目が表示内容として設定される（図４（ｃ））。
【００３９】
図４（ｃ）は、モード１からモード２への切り替え移行時の表示内容を説明する図であり、モード２の表示ＯＦＦ設定項目としては、電池残量、記録媒体残量、画質・画像サイズ、撮影モード、再生モード、ホワイトバランス、露出、フォーカスなどが挙げられる。
【００４０】
そして、この表示内容は、ビデオカメラの動作モードをモード１（記録モード）からモード２（再生モード）への移行後も、ディスプレイ１０６に数秒間表示され続けた後、モード２の通常の表示状態へと切り替える（図４（ｂ））。
【００４１】
同様に、モード２からモード１への移行時には、端子Ｂと端子Ｘが接続されて、モード１の表示ＯＦＦ設定項目が表示内容として設定される（図４（ｄ））。
【００４２】
図４（ｄ）は、モード２からモード１へ切り替え移行時の表示内容を説明する図であり、モード１の表示ＯＮ設定項目としては、日付、ホワイトバランスなどが挙げられる。
【００４３】
そして、ＣＰＵ１１１は、モード２からモード１への切り替え移行が完了した後も、ディスプレイ１０６に数秒間表示し続けた後、モード１の通常の表示状態へと移行して端子ＡとＸが接続され、モード１の表示ＯＮ設定項目が表示されるようになる。
【００４４】
なお、このときの表示設定は図２に示すように設定されており、この設定はプログラムメモリ１１２上に保持されているものとなるが、ユーザー操作により設定変更は可能となっている。
【００４５】
図５は、図１の動画記録再生可能な表示装置付きカメラにおける電源オフ時の表示制御動作を説明する図である。
【００４６】
図５において、操作手段３０１は、操作スイッチ１０５と同等であり、表示設定３０２を行う。表示設定３０２は、電源オフ前の動作モード、即ち、記録モードや再生モードの双方を対象としている。ただし、操作手段３０１は、表示設定３０２に加えて、表示設定される情報に夫々重要度を設定する重要度設定３０７を行えるようにしている。この重要度は、図２における切り替え時ＯＮの項目に反映されて、動作モード切り替え時に表示ＯＮ設定項目とするか否かを選択するためのものである。通常の動作時は、動作モード切り替え時も含めて、前述した図３の表示制御動作に従った動作を行い、表示ＯＮ設定項目の対象がディスプレイ１０６に表示される（図６（ａ）、図６（ｂ））。メインスイッチにより電源オフ３０３とすると、電源オフ動作としてスイッチ３０４が数秒間切り替えられて、通常表示ＯＦＦ設定項目中の重要度設定がなされているものに表示内容が変更される（図６（ｃ）、図６（ｄ））。即ち、電源オフ時には、通常の表示ＯＦＦ設定項目のうち、切り替え時ＯＮという重要度設定がなされている項目のみがディスプレイ３０６に所定の数秒間表示される動作を行う。図６にその一例を示す。
【００４７】
図６において、動作モード1のときに（図６（ａ））、電源オフとすると、図６（ｃ）のように数秒間表示された後に、メイン電源が落ちる。動作モード１での表示ＯＦＦ設定項目は、画質・画像サイズ、再生機能、ホワイトバランスであり（図２）、そのうち重要度設定されて、切り替え時ＯＮとなっている項目は、日時情報のみである（図２）。よって、日時情報のみが表示される（図６（ｃ））。
【００４８】
また、動作モード２のときに（図６（ｂ））、電源オフとすると、同様に、図６（ｄ）のように数秒間表示された後に、メイン電源が落ちる。表示ＯＦＦ設定項目はバッテリー残量、記録媒体（メディア）残量、画質・画像サイズなどであり、そのうち重要度設定されて、切り替え時ＯＮとなっている項目は、バッテリー残量、記録媒体（メディア）残量のみである（図２）。よって、それらの項目のみ表示される（図６（ａ）。
【００４９】
即ち、通常的に表示されている項目以外の項目が動作切り替え時や電源オフ時に表示される。なお、表示の重要度設定はモード切り替え時についても適応可能であり電源オフ時と同様に容易に実現できる。また、切り替え時に所定の時間表示されるが、時間設定ができてもよいし、各種の終了動作中のみの表示としてもよい。
【００５０】
上記実施の形態において、表示ＯＮ／ＯＦＦ設定項目がマーク及び記号の場合には、それらの項目を文字に置き換えられるか又は拡大してディスプレイ１０６に表示してもよい。
【００５１】
上記実施の形態において、第１のモード（第１の動作モード）は動画撮影モードであると共に、第２のモード（第２の動作モード）は静止画撮影モードであってもよい。この場合、図２の例において、表示項目は、ポートレートや花火などのカメラの撮影モード、記録画素数や圧縮率などの撮影情報（撮像情報）、フォーカスのマニュアル又はオートか、フラッシュ、ホワイトバランスなどの各種の撮影条件であり、これらの項目において、モード１（記録）ＯＦＦ、モード２（再生）ＯＦＦ、切り替え時ＯＮである。
【符号の説明】
【００５２】
１０１  レンズ群
１０２  撮像素子
１０３  カメラ信号処理部
１０４  画像メモリ
１０５  操作スイッチ
１０６  ディスプレイ
１０７  静止画符号化／復号化部
１０８  動画符号化／復号化部
１０９  記録媒体
１１０  インターフェース
１１１  ＣＰＵ
１１２  プログラムメモリ
１１３  プログラムフラッシュメモリ
１１４  画像処理部
１１５  バス
【図１】
2011050092.tif 000003
【図２】
2011050092.tif 000004
【図３】
2011050092.tif 000005
【図４】
2011050092.tif 000006
【図５】
2011050092.tif 000007
【図６】
2011050092.tif 000008